(57)【要約】      （修正有）【課題】この発明は、磯または防波堤などの釣りで使用する。コマセを撒きアタリをとるカゴ付きウキで、その使用にあたり水中移動抵抗が少なく、ウキ、フカセ釣りの仕掛を使用できて、また釣行時に、ベストのポケットなどに入れて、携帯できるネットのカゴ付きウキを提供する。【解決手段】ウキ１に、編んだネット袋２を取り付け、そして、そのネット袋２の端に沿って、細い弾力線の枠５を付けた。【選択図】図１
2008278877.tif 000002
【特許請求の範囲】
【請求項１】
ウキ（１）に、編んだネット袋（２）を取り付け、そして、そのネット袋（２）の端に沿って、細い弾力線の枠（５）を付けたことを特徴とするネットのカゴ付きウキ。
【発明の詳細な説明】
【技術分野】
【０００１】  この発明は、磯または防波堤などの釣りで使用する。コマセを撒きアタリをとるカゴ付きウキで、その使用にあたり水中移動抵抗が少なく、ウキ、フカセ釣りの仕掛を使用できて、また釣行時に、ベストのポケットなどに入れて、携帯できるネットのカゴ付きウキに関するものである。
【背景技術】
【０００２】  従来、カゴ付きウキは、コマセを遠投し、付け餌の周りをコマセで被い魚の喰いを誘い、そして魚のアタリを明確に現すように使用されている。
カゴは、合成樹脂を型に入れて成型するもの、または金属で成型したものが使用され、堅牢であるが、鈍重であるので、ウキ、フカセ釣りのような釣り方でメジナ、黒鯛を対象とした場合は、そのような鈍重なカゴ付きウキでは対象魚はあまり釣れず、その対象魚を釣るために、仕組みが簡単で繊細なものが望まれた。
それは、磯または防波堤などの魚には、学習能力があるようで、仕掛に慣れてしまって、その魚が喰っても仕掛の水中移動抵抗、及び重い仕掛けなどで違和感があると、付け餌を放す事が多かった。
魚が付け餌を銜えた際、水中移動抵抗の少ない仕掛、または軽い仕掛けにするとアタリがはっきりと出易かった。そこでカゴ付きウキでも、対象魚により感度のよいものが必要である。
また、釣行時において、ベストのポケットに携帯できると便利である。
【特許文献】
【０００３】  ネットを付けたウキの技術では、
発明の名称    コマセを運ぶ巾着ネットウキ
出願日        ２００６年７月１７日
出願番号      特許出願２００６−２２０６０３【０００４】  上記記載のコマセを運ぶ巾着ネットウキにおいては、加工して細かく砕いたオキアミには使用できたが、現状のままのオキアミの放出はできず、現状のオキアミを放出できるものが望まれた。
【発明の開示】
【発明が解決しようとする課題】
【０００５】  カゴ付きウキで、水中移動抵抗を減らし、仕組みが簡単で、そしてアタリ感度に優れ、メジナ、黒鯛を対象魚としたウキ、フカセ釣りに使用できるものを製作する。
また、加工していない、そのままのオキアミを遠投後、放出できること。
ウキ、フカセ釣りで使用して、距離の離れたポイントにおいても、付け餌の近くにコマセを撒けること。
他には、釣行時において、ベストのポケット等に携帯できること。
【課題を解決するための手段】
【０００６】  本発明は上記課題を解決する為のもので、ウキ（１）に、編んだネット袋（２）を取り付け、そして、そのネット袋（２）の端に沿って、細い弾力線の枠（５）を付けた。
【発明の効果】
【０００７】  カゴ付きウキで、編んだネットを使用し水中移動抵抗を減らせた。それはアタリ感度、魚の引き込みに優れているので、対象魚をメジナ、黒鯛等とした、ウキ、フカセ釣りに適したものを製作できた。しかも仕組みが簡単である。
加工していない、そのままのオキアミを遠投後、放出できた。
ウキ、フカセ釣りで使用して、距離の離れたポイントにおいても、付け餌の近くにコマセを撒け、対象魚の喰いを誘う事がてきた。
また、釣行時において、ベスト等のポケットに携帯できるようになったので、ウキフカセ釣りをしていて、喰いの悪いときに、フカセウキと交換して使え、釣果に結びつく可能性が増した。
【発明を実施するための最良の形態】
【０００８】  以下、本発明の構造について説明する、
構造を  図１、に示すように、
ウキ（１）に、編んだネット袋（２）を取り付け、そして、そのネット袋（２）の端に沿って、細い弾力線の枠（５）を付けた。
【実施例１】
【０００９】  ネット袋に使用する糸は、一例を上げると、水中移動抵抗が少ない太さの０．２ミリ内外とし、網目のサイズはオキアミの通過しない程度のサイズとした。
そして材質は合成繊維、または天然繊維を使用したが、他でも水を含みにくく水中移動抵抗の少ない、細く丈夫な材質であれば良い。
細い弾力線の枠（５）の材質は、例を上げると、形状記憶合金線、ステンレス合金鋼線、合成樹脂線としたが、他でも張りがあり細いものであれば良い。
例えば形状記憶合金線の細い弾力線の枠（５）の場合、太さは、水中移動抵抗を考慮し、直径で０，３ミリから０，５ミリとした。またステンレス合金鋼線においても同様である。
合成樹脂線とした場合は、０．６ミリ内外でおこない結果は良好であった。
図５に示すように、上記した、細い弾力線の枠（５）の材質を使用し、ネット袋（２）と共に、折りたたみジャケットのポケットなどに入れて持ち歩いても癖はつかず、移動の際に携帯して持ち歩け便利である。
それは、ウキフカセ釣りをしていて、魚が居るのに喰いの悪いときなどに、フカセウキと交換して使え、釣果に結びつく可能性が増した。
また細い弾力線の枠（５）はネットの端にそって網目に通すほかに、ネットを織る、または折り返して隙間を作り、そこに通して取り付けても同様の効果があった。【００１０】  ウキ（１）の大きさは、比較的小型で、ウキ、フカセ釣りに使用するくらいの大きさである。そして材質は、木製、合成樹脂製、発泡樹脂製、または中空とした金属で製作したが、他に浮力を有する材質であれば形状、材質は問わない。
ウキ（１）の浮力について、本発明全体で沈め釣りでは、０号、浮かせての使用は０，５号から１号の設定としたところ扱い易かった。ただし潮の早さ、水深、などの釣場状況によって浮力を変更する。【００１１】  ウキ（１）に、ネット袋（２）を取り付ける為、一例を上げると、
図２に示すように、ウキの凹部（７）に、リベット（１６）などを挿入しネット袋（２）を挟み固定した。
【実施例２】
【００１２】  または、図３に示すように、
または、ウキ（１）の下方部に、ウキの凹部（７）を形成し、ナット（９）を、そこに埋め込み螺子（４）で固定した。
このように螺子で固定すると、脱着可能となり、釣り場において、ネットを破損しても、容易に交換できた。
【実施例３】
【００１３】  その他、図４に示すように、
ウキ（１）の下方部に、ウキの凹部（７）を形成し、螺子（４）を埋め込み、ナット（９）で固定した。
このようにしても、同様の効果があった。
【実施例４】
【００１４】  図６に示すように、
本発明には、予めスイベル（３）などの、道糸の係留部を付けた。
このようにすると、細かな道具の一つが固定されて、扱い易くなった。【００１５】  本発明の使用方法を述べる。
図７に示すように、本発明の使用方法は、一般的には誘導式仕掛けで、仕掛けの順番は、道糸に上から、上部ウキ止（８）、シモリ玉（１１）、スナップ付スイベル（１２）、シモリ玉（１１）を順番に通して下部ウキ止（１０）、そして２０センチくらい離して、小型のより戻し（１３）に、ハリス（６）をつけて、そこにオモリ（１４）を付ける、そして、そこから約１メートル内外、離して釣針（１５）を付ける。
そして道糸に付けたスナップ付スイベル（１２）に本発明のネットの網目を通しながら、細い弾力線の枠（５）を掛ける。
本発明を浮かせての使用の場合、例えば全体浮力０，６号で、仕掛には、オモリ無からオモリ３Ｂを付けた。
オモリ無でも、釣針の重さにフロロカーボンハリスなどの比重のあるものを使用すると仕掛は沈んだ。オモリは水深の浅いポイントでは、軽く、水深の深いポイントでは重めとすると扱い易かった。
また沈め釣りでは、例えば本発明の浮力は、０号などで、コマセの重さも利用して沈めるので、オモリは小さな物を取り付けるか、または全く付けない。
以上の仕掛けにリール付きの釣竿を準備しておく。【００１６】  本発明を使用するときは、スナップ付スイベル（１２）を持って、本発明を反転させコマセを入れる。そしてリールを投げの状態に設定し、釣竿で吊るし、釣竿の弾力を利用しポイントに投げ入れる。
すると、本発明は、軽い仕掛けを使用しているが、主にコマセの重みで仕掛け全体を飛ばせた。【００１７】  本発明は、ウキから着水し、その浮力で反転をする。
本発明を浮かせての使用は、仕掛と、本発明が着水したら、釣竿をアオリながら仕掛を引き戻し、そこでまた釣竿で数回シャクルと、細い弾力線の枠（５）によってネットの袋は開いておりコマセを、全量放出でき、アタリウキとして使用できた。
またコマセをそのままのオキアミ（１７）としても同様に放出した。
なお付け餌は、仕掛を引き戻しているので、この状態で本発明の下に入っている。
このように使用すると、コマセは付け餌の回りに落ちていき、魚の喰いを誘う。
一般にこの状態を同調と称している。
この後、魚が付け餌を喰うと、円錐ウキを使用したウキフカセ釣りと同様で、軽いオモリの仕掛を使っているのと、本発明の水中移動抵抗が少ないので、魚のアタリはウキに鮮明に出た。【００１８】  ウキを使用したフカセ釣りとは、浮力の比較的小さなウキを使い、仕掛に付けるオモリも状況に合わせて、出きるだけ小さな物を使用し、一般にコマセを柄杓で、付け餌の近くに撒いて、付け餌と同調させる釣り方である。
ただし、ポイントとなる場所まで距離があると、付け餌の近くに、コマセを撒くことは、難しい技術であった。
本発明では、コマセを付け餌の近い所に、撒くことができて、コマセと付け餌を同調させることは簡単である。【００１９】  また沈め釣りでは、本発明の浮力は、０号などで、コマセの重さで、仕掛と共に沈めるので、オモリは全く付けない仕掛も使用できた。
この使用は、魚の居る棚まで本発明を沈め、そこでシャクルと、コマセが出て、付け餌の回りにあり、魚の喰いを誘いながら潮に乗せて流す。この場合水中ウキと同じように使用する為、アタリは手に伝わり、ミャク釣りで対応できた。【００２０】  本発明は、コマセのオキアミを運び放出するだけでなく、水中移動抵抗の少ない細い糸で編んだネットと細い弾力線の枠を採用している為、ウキ、フカセ釣りに近い釣り方で、浮かせて当たりウキとして、また沈めてミャク釣りで感度良く繊細に使用できた。
その他、本発明は構造が簡単であるので故障はすくない。
【図面の簡単な説明】
【００２１】
【図１】  本発明の斜視図
【図２】  本発明の実施例、リベットで、ネットを固定した説明図
【図３】  本発明の実施例、ナットを、ウキに埋め込み、螺子でネットを固定した説明図
【図４】  本発明の実施例、ウキに螺子を埋め込み、ナットでネットを固定した説明図
【図５】  本発明の実施例、折りたたんだ状態を示す斜視図
【図６】  本発明の実施例、スイベルを取り付けた斜視図
【図７】  本発明の実施例、仕掛けに取り付け、使用状態を示す説明図
【符号の説明】
【００２２】１ウキ、２ネット袋、３スイベル、４螺子、５細い弾力線の枠、６ハリス、７ウキの凹部、８上部ウキ止、９ナット、１０下部ウキ止、１１シモリ玉、１２スナップ付スイベル、１３より戻し、１４オモリ、１５釣針、１６リベット、１７オキアミ、１８付け餌
【図１】
2008278877.tif 000003
【図２】
2008278877.tif 000004
【図３】
2008278877.tif 000005
【図４】
2008278877.tif 000006
【図５】
2008278877.tif 000007
【図６】
2008278877.tif 000008
【図７】
2008278877.tif 000009